(57)【要約】      （修正有）【課題】パッドを洗浄することで繰り返し使用することができ、経済的で、かつ、ごみの廃棄量の低減を図ったペット用おむつを提供する。【解決手段】ペット用おむつは、パッド１と、パッドを支持する支持体と、を備え、パッドは、洗浄に耐え得る素材から構成され、支持体と別体に設けられている。パッドは、排泄物を吸収する吸収体と、吸収体の支持体側の面に設けられた滑止め部１２と、を有し、吸収体は、基布１３と、基布の支持体側の面を被覆する消臭機能を有する拡散シート１４と、で構成されている。【選択図】図２
0003196746.tif 000002
【実用新案登録請求の範囲】
【請求項１】
ペット用おむつであって、
パッドと、このパッドを支持する支持体と、を備え、
前記パッドが、洗浄に耐え得る素材から構成されているとともに前記支持体と別体に設けられていることを特徴とするペット用おむつ。
【請求項２】
前記パッドが、排泄物を吸収する吸収体と、該吸収体の前記支持体側の面に設けられて前記支持体に対する滑止め部と、を有して構成されていることを特徴とする請求項１に記載のペット用おむつ。
【請求項３】
前記吸収体が、基布と、該基布の前記支持体側の面を被覆する拡散シートと、を有して構成されていることを特徴とする請求項２に記載のペット用おむつ。
【請求項４】
前記パッドが、ペットの胴回り方向の中央部に向かうに従って前記胴回り方向に直交する方向の寸法が徐々に大きくなるように形成されていることを特徴とする請求項１乃至請求項３のうちいずれか一項に記載のペット用おむつ。
【請求項５】
前記パッドが、ペットの胴回り方向に直交する方向に進むに従って幅広になるように形成されていることを特徴とする請求項１乃至請求項３のうちいずれか一項に記載のペット用おむつ。
【考案の詳細な説明】
【技術分野】
【０００１】
本考案は、ペット用おむつに関する。
【背景技術】
【０００２】
従来、ペット用使い捨てパンツ型おむつが特許文献１に記載されている。特許文献１に開示されたペット用使い捨てパンツ型おむつは、胴周り領域及び股下領域、を有するとともに、胴回り開口及び一対の脚周り開口が形成されて構成されている。
【０００３】
しかしながら、特許文献１に開示されたペット用使い捨てパンツ型おむつは、使い捨てであるが故に大量のごみを発生させる上、飼い主の経済的な負担が大きい。
【先行技術文献】
【特許文献】
【０００４】
【特許文献１】特開２０１４−２３３２５７号公報
【考案の概要】
【考案が解決しようとする課題】
【０００５】
本考案は、以上の背景に鑑みてなされたものであり、経済的であり、かつ、ごみの廃棄量の低減を図ったペット用おむつを提供することを目的とする。
【課題を解決するための手段】
【０００６】
上記目的を解決するために本考案は以下の構成を備える。
【０００７】
即ち、請求項１に記載の本考案は、ペット用おむつであって、パッドと、このパッドを支持する支持体と、を備え、前記パッドが、洗浄に耐え得る素材から構成されているとともに前記支持体と別体に設けられていることを特徴とするペット用おむつである。
【０００８】
請求項２に記載の本考案は、請求項１に記載の本考案において、前記パッドが、排泄物を吸収する吸収体と、該吸収体の前記支持体側の面に設けられて前記支持体に対する滑止め部と、を有して構成されていることを特徴とする。
【０００９】
請求項３に記載の本考案は、請求項２に記載の本考案において、前記吸収体が、基布と、該基布の前記支持体側の面を被覆する拡散シートと、を有して構成されていることを特徴とする。
【００１０】
請求項４に記載の本考案は、請求項１乃至請求項３のうちいずれか一項に記載の本考案において、前記パッドが、ペットの胴回り方向の中央部に向かうに従って前記胴回り方向に直交する方向の寸法が徐々に大きくなるように形成されていることを特徴とする。
【００１１】
請求項５に記載の本考案は、請求項１乃至請求項３のうちいずれか一項に記載の本考案において、前記パッドが、ペットの胴回り方向に直交する方向に進むに従って幅広になるように形成されていることを特徴とする。
【考案の効果】
【００１２】
請求項１に記載の本考案によれば、ペット用おむつであって、パッドと、このパッドを支持する支持体と、を備え、パッドが、洗浄に耐え得る素材から構成されているとともに支持体と別体に設けられている。このようなパッドを有するペット用おむつは、当該パッドを洗浄することで繰り返し使用することができるから、経済的であり、かつ、ごみの廃棄量の低減を図ることができる。
【００１３】
請求項２に記載の本考案によれば、パッドが、排泄物を吸収する吸収体と、該吸収体の支持体側の面に設けられて支持体に対する滑止め部と、を有して構成されている。このようにパットが滑止め部を有していることで、吸収体の支持体に対する位置ずれを抑制することができる。よって、吸収体がペットの陰部を覆った状態が維持されることとなり、吸収体から排泄物が漏れ出ることを抑制することができ、清潔を保つことができる。
【００１４】
請求項３に記載の本考案によれば、吸収体が、基布と、該基布の支持体側の面を被覆する拡散シートと、を有して構成されている。これにより、吸収体に排泄物が排出された際に、吸収体の支持体側の面に設けられた拡散シートにて尿が拡散されることとなる。従って、支持体の外部に尿が漏れ出ることを十分に抑制することができ、十分に清潔を保つことができる。
【００１５】
請求項４に記載の本考案によれば、パッドが、ペットの胴回り方向の中央部に向かうに従って胴回り方向に直交する方向の寸法が徐々に大きくなるように形成されている。従って、パッドにおいて寸法が大きい部分により、ペットの雄の陰部が十分に覆われることとなり、よって、吸収体の外部に尿が漏れ出ることを十分に抑制することができ、十分に清潔を保つことができる。
【００１６】
請求項５に記載の本考案によれば、パッドが、ペットの胴回り方向に直交する方向に進むに従って幅広になるように形成されている。従って、パッドにおける幅広部分により、ペットの雌の陰部が十分に覆われることとなり、よって、吸収体の外部に尿が漏れ出ることを十分に抑制することができ、十分に清潔を保つことができる。
【図面の簡単な説明】
【００１７】
【図１】本考案の第１実施形態にかかるペット用おむつをペットが着用した状態を示す斜視図である。
【図２】図１に示されたペット用おむつのパッドを示す平面図であり、（Ａ）は一方の面から見た図であり、（Ｂ）は他方の面から見た図である。
【図３】図２（Ｂ）中のＩ−Ｉ線に沿う断面図である。
【図４】図１に示されたペット用おむつの支持体を示す平面図であり、（Ａ）は一方の面から見た図であり、（Ｂ）は他方の面から見た図である。
【図５】本考案の第２実施形態にかかるペット用おむつのパッドを示す平面図であり、（Ａ）は一方の面から見た図であり、（Ｂ）は他方の面から見た図である。
【図６】図５に示されたペット用おむつの支持体を示す平面図である。
【図７】図５に示されたペット用おむつにおいて、パットを支持体に設置した状態を示す平面図である。
【考案を実施するための形態】
【００１８】
（第１実施形態）
以下、本考案の第１実施形態にかかるペット用おむつを、図１〜図４を参照して説明する。本明細書における「ペット」とは、脊椎動物（哺乳類、爬虫類、鳥類、両性類）や無脊椎動物を広く包含するが、典型的には、猫、犬、ウサギ、豚、といった愛玩動物がこれに該当する。
【００１９】
第１実施形態にかかるペット用おむつは、雄の個体に装着されるペット用おむつ１０であり、図１、図２に示すように、ペットＤの雄の陰部を覆うパッド１（図２に示す）と、当該陰部を覆った状態のパッド１を支持しつつペットＤの胴体Ｂに巻かれるバンド部２（支持体）と、を有して構成されている。このパッド１は、バンド部２とは別体構成されている。本明細書においては、ペットＤとして犬を一例に説明する。また、本明細書において、バンド部２がペットＤの胴体Ｂに巻かれる方向（胴回り方向）を矢印Ｒで示し、このバンド部２の中心軸方向（胴回り方向に直交する方向）であるとともにペットＤの脊椎が延在する方向を矢印Ｐで示す。
【００２０】
パッド１は、図２（Ａ）（Ｂ）、図３に示すように、略四角形状に形成されるとともにシート状の吸収体１１（図３に示す）と、この吸収体１１のバンド部２側の面に取り付けられる滑止め部１２と、を備えて構成されている。吸収体１１は、図３に示すように、基布１３と、該基布１３の一方側（防水生地１３Ｃ）の面を覆う拡散シート１４と、を備えて構成されている。基布１３は、シート状に形成された軟質ウレタンフォーム１３Ａ（発泡ポリウレタン）と、この軟質ウレタンフォーム１３Ａの一方側の面を覆うパイル生地１３Ｂと、軟質ウレタンフォーム１３Ａの他方側の面を覆う防水生地１３Ｃと、を備え、これらが重ねられた状態で刺し縫い（鎖線で示す）して構成されている。このような基布１３は、繰り返し洗浄した場合においても、パイル生地１３Ｂと防水生地１３Ｃとの間に挟まれた軟質ウレタンフォーム１３Ａが、片寄ることなく所定の場所に位置されている。こうして基布１３、即ちパッド１は、繰り返し洗浄に耐え得る耐久性を有している。なお、本明細書における「繰り返し洗浄」とは、洗濯機において５０回程度の洗浄のことであり、手洗いで１００回程度の洗浄のことである。
【００２１】
拡散シート１４は、本実施形態では、小松精練株式会社が開発した特にアンモニアなどの悪臭に対して消臭機能性を有する素材（クリーンガード（登録商標））から構成されている。この拡散シート１４は、吸収性、拡散性、防水性、速乾性、汚れ除去性能を有している。
【００２２】
このような基布１３及び拡散シート１４は、平面視が略同一形状となるように形成されている。また、本実施形態では、基布１３及び拡散シート１４の周縁は、バイアステープ１５で包まれた状態で、基布１３、拡散シート１４及びバイアステープ１５が共に縫われている。こうして、基布１３及び拡散シート１４は、重ねられた状態で固定されるとともにその周縁（布端）がほつれないように始末されている。ここで用いられるバイアステープ１５は、拡散シート１４と同様の素材から構成されている。
【００２３】
滑止め部１２は、図２（Ｂ）に示すように、ゴムから成る糸１２Ａが、長尺状の基材１２Ｂを貫通して浮き沈みするように縫い付けられて構成されている。こうして滑止め部１２は、基材１２Ｂの表面から山型に突出した山型部分を有し、この山型部分の摩擦抵抗により、当接されるバンド部２に対して滑り難くなるように構成されている。このような滑止め部１２は、吸収体１１のバンド部２側の面（拡散シート１４）において、矢印Ｐ方向に延在形成されているとともに、矢印Ｒ方向に間隔をあけて縫い付けられている。
【００２４】
このようなパッド１は、図２（Ａ）（Ｂ）に示すように、矢印Ｒ方向に沿って設けられる直線状の第１辺１ａと、この第１辺１ａの両端に連続されるとともに矢印Ｐ方向に沿って設けられる第２、第３辺１ｂ、１ｃと、これらの第２、第３辺１ｂ、１ｃを結ぶとともに第１辺１ａに対向して設けられる円弧状の第４辺１ｄと、を有して構成されている。第２、第３辺１ｂ、１ｃは対向して設けられているとともに略同じ大きさ（長さ）を有して構成されている。第４辺１ｄは、第２、第３辺１ｂ、１ｃ間の中央部に向かうに従って、第１辺１ａからの離隔寸法が徐々に大きくなるように形成されている。こうして、第４辺１ｄは山型の円弧状となるように形成されている。
【００２５】
バンド部２は、図４（Ａ）（Ｂ）に示すように、ペットＤの胴体Ｂに巻き付けが可能なように長尺であるとともに所定幅を有するシート状に形成され、その全体形状が長尺方向の真ん中を頂部とするように弧状を有して形成されている。また、バンド部２は、幅方向の一方側の外周縁２ａと、幅方向の他方側の内周縁２ｂと、を有している。外周縁２ａは、その長尺方向の中央部にパッド１の第４辺１ｄと略同一形状の円弧部２ｃを有している。なお、図４に示すバンド部２において、前述したパッド１と同様の素材乃至構造を有する部位には、同一符号を付して説明を省略する。このバンド部２は、図３と同様の積層構造を有して構成されている。
【００２６】
また、バンド部２は、外周縁２ａの一部である円弧部２ｃを有するとともにパッド１を当接させる覆い部２１と、この覆い部２１の両端に連続されるとともにペットＤの胴体Ｂに巻かれる一対の巻付け部２２、２３と、を有して構成されている。覆い部２１においては、外周縁２ａと内周縁２ｂの離間寸法が、巻付け方向Ｒの中央部に向かうに従って徐々に大きくなるように形成されている。このような覆い部２１は、当接させるパッド１を十分に保持することができるとともに、ペットＤの胴体Ｂにフィットして装着される。
【００２７】
一対の巻付け部２２、２３には、対で用いられる面ファスナー３が取り付けられている。面ファスナー３は、第１面ファスナー３Ａと、この第１面ファスナー３Ａに着脱可能な第２面ファスナー３Ｂと、を備えて構成されている。一対の巻付け部２２、２３のうち一方の巻付け部２２には、バンド部２の一方側の面であるパイル生地１３Ｂ側の面に第１面ファスナー３Ａが固着され、他方の巻付け部２３には、バンド部２の他方側の面である拡散シート１４側の面に第２面ファスナー３Ｂが固着されている。また、第２面ファスナー３Ｂは一対設けられ、他方の巻付け部２３において、バンド部２の幅方向に間隔をあけて、その長手寸法がバンド部２の長尺方向に沿う格好で取り付けられている。こうしてバンド部２は、その長尺方向、即ち、ペットＤの胴体Ｂへの巻付け方向Ｒの寸法が調整可能となるように設けられているとともに、一方側の面、即ちパイル生地１３Ｂ側の面、又は、他方側の面、即ち拡散シート１４側の面のどちらの面も表面としてリバーシブルで用いることができるように構成されている。また、バンド部２は、パッド１と同様の素材乃至構造を有して構成されている。即ち、バンド部２は、パッド１の基布１３、拡散シート１４各々と同様の素材乃至構造を有して構成されている。
【００２８】
さらに、バンド部２には、図４に示すように、該バンド部２のペットＤの胴体Ｂに対する回転を規制するための回転規制部１６が設けられている。この回転規制部１６は、パッド１の滑止め部１２と同様の素材乃至構造を有して構成されている。即ち、回転規制部１６は、ゴムから成る糸１６Ａが、長尺状の基材１６Ｂを貫通して浮き沈みするように縫い付けられて構成されている。こうして回転規制部１６は、基材１６Ｂの表面から山型に突出した山型部分を有し、この山型部分の摩擦抵抗により、当接されるペットＤの胴体Ｂに対して滑り難くなるように構成されている。回転規制部１６は、バンド部２の一方側の面であるパイル生地１３Ｂ側の面において、一対の第２面ファスナー３Ｂ間に、矢印Ｐ方向に延在形成されている。
【００２９】
このようなペット用おむつ１０は、パッド１が、その第４辺１ｄが頭部側に第１辺１ａが尻尾側に向く格好で、雄の個体の陰部に吸収体１１のパイル生地１３Ｂ側の面を接触させ、この状態で、パッド１の拡散シート１４側の面にバンド部２における覆い部２１のパイル生地１３Ｂ側の面を当接させ、一対の巻付け部２２、２３をペットＤの胴体Ｂに巻き付けて、第１面ファスナー３Ａと第２面ファスナー３Ｂを接触させる。又は、予めパッド１の拡散シート１４側の面をバンド部２における覆い部２１のパイル生地１３Ｂ側の面を当接させておき、この状態で、一対の巻付け部２２、２３をペットＤの胴体Ｂに巻き付けて、第１面ファスナー３Ａと第２面ファスナー３Ｂを接触させてもよい。パッド１の滑止め部１２がバンド部２に当接し、パッド１のバンド部２に対する位置ズレが抑制される。また、バンド部２の回転規制部１６がペットＤの胴体Ｂに当接し、バンド部２の胴体Ｂに対する回転が規制される。こうして、ペット用おむつ１０を雄の個体に装着する。
【００３０】
なお、上述した実施形態では、バンド部２は、拡散シート１４側の面が表面となるようにペットＤの胴体Ｂに装着されているが、本考案はこれに限らず、バンド部は、パイル生地１３Ｂ側の面が表面となるようにペットＤの胴体Ｂに装着されてもよい。この場合には、回転規制部は、バンド部の他方側の面である拡散シート１４側の面に設けられていてもよい。又は、回転規制部は、バンド部のパイル生地１３Ｂ側の面及び拡散シート１４側の面の両面に設けられていてもよい。
【００３１】
上述した実施形態によれば、ペット用おむつ１０は、パッド１が、洗浄に耐え得る素材から構成されているとともにバンド部２（支持体）と別体に設けられている。従って、パッド１を洗浄することでペット用おむつ１０を繰り返し使用することができるから、経済的であり、かつ、ごみの廃棄量の低減を図ることができる。
【００３２】
また、パッド１が、排泄物を吸収する吸収体１１と、該吸収体１１のバンド部２（支持体）側の面に設けられてバンド部２に対する滑止め部１２と、を有して構成されている。このようにパッド１が滑止め部１２を有していることで、吸収体１１のバンド部２に対する位置ずれを抑制することができる。よって、吸収体１１がペットＤの陰部を覆った状態が維持されることとなり、吸収体１１から排泄物が漏れ出ることを抑制することができ、清潔を保つことができる。
【００３３】
また、吸収体１１が、基布１３と、該基布１３のバンド部２（支持体）側の面を被覆する拡散シート１４と、を有して構成されている。これにより、吸収体１１に排泄物が排出された際に、吸収体１１のバンド部２側の面に設けられた拡散シート１４にて排泄物としての尿が拡散されることとなる。従って、バンド部２の外部に尿が漏れ出ることを十分に抑制することができ、十分に清潔を保つことができる。
【００３４】
また、パッド１が、ペットＤの胴回り方向Ｒの中央部に向かうに従って胴回り方向に直交する方向Ｐの寸法が徐々に大きくなるように形成されている。従って、パッド１において寸法が大きい部分により、ペットＤの雄の陰部が十分に覆われることとなり、よって、吸収体１１の外部に尿が漏れ出ることを十分に抑制することができ、十分に清潔を保つことができる。
【００３５】
（第２実施形態）
以下、本考案の第２実施形態にかかるペット用おむつを、図５〜図７を参照して説明する。
【００３６】
第２実施形態にかかるペット用おむつは、雌の個体に装着されるペット用おむつ１１０であり、図５、６に示すように、ペットＤの雌の陰部を覆うパッド１０１と、該陰部を覆った状態でパッド１０１を支持するカバー部４（支持体）と、を有して構成されている。なお、第２実施形態にかかるペット用おむつ１１０を構成するパッド１０１は、第１実施形態にかかるペット用おむつ１０を構成するパッド１と略同様の素材乃至構造を有して構成され、第２実施形態にかかるペット用おむつ１１０を構成するカバー部４は、第１実施形態にかかるペット用おむつ１０を構成するバンド部２と略同様の素材乃至構造を有してから構成されている。従って、以下では、パッド１０１及びカバー部４について、素材乃至構造についての説明は省略し、形状及び機能についてのみ説明する。
【００３７】
パッド１０１は、図５（Ａ）（Ｂ）に示すように、略等脚台形状に形成されるとともにシート状の吸収体１１１と、この吸収体１１１のカバー部４側の面に取り付けられる滑止め部１１２と、を備えて構成されている。滑止め部１１２は、吸収体１１１のカバー部４側の面において、矢印Ｐ方向に間隔をあけて、矢印Ｒ方向に延在して縫い付けられている。
【００３８】
このようなパッド１０１は、矢印Ｐ方向に離間して設けられるとともに矢印Ｒ方向に沿って設けられる直線状の第１、第２辺１０１ａ、１０１ｂと、これら第１、第２辺１０１ａ、１０１ｂを結ぶ第３、第４辺１０１ｃ、１０１ｄと、を有して形成されている。第１辺１０１ａの大きさは、第２辺１０１ｂの大きさよりも大きくなるように形成されていて、第３辺１０１ｃと第４辺１０１ｄとの離間寸法は、矢印Ｐ方向の第１辺１０１ａから第２辺１０１ｂ側に向かうに従って徐々に大きくなるように形成されている。即ち、パッド１０１が、ペットＤの胴回り方向Ｒに直交する方向Ｐに進むに従って幅広になるように形成されている。このようなパッド１０１は、第１実施形態のパッド１と同様に、繰り返しの洗浄に耐え得る耐久性を有している。
【００３９】
カバー部４は、図６、図７に示すように、パッド１０１を当接させる覆い部４１を有する帯状部４２と、この帯状部４２の長さ方向の一端に連続されるとともにペットＤの胴体Ｂに巻かれる巻付け部４３と、を有して展開状態において平面視がＴ字状に構成されている。なお、図６において、吸収体１１１を構成する基布１３の刺し縫い（鎖線で示す）は省略されている。
【００４０】
帯状部４２は、巻付け部４３に連続する覆い部４１と、この覆い部４１に連続されるとともに巻付け部４３から離れた側の連続部４４と、を有して構成されている。覆い部４１はその平面形状が、パッド１０１の平面形状と略同一形状になるように形成されている。即ち、覆い部４１は、矢印Ｒ方向の寸法が、巻付け部４３側に向かうに従って徐々に大きくなるような略等脚台形状に形成されている。連続部４４には、ペットＤの尻尾を挿通させる長孔４５が形成されている。この長孔４５は、矢印Ｐ方向に延在する貫通孔から構成されている。この長孔４５を構成する周縁は、その周縁（布端）がほつれないように、バイアステープ１５を用いて始末されている。
【００４１】
巻付け部４３は、所定幅を有するとともに長尺方向の真ん中を頂部とするように緩やかな弧状を有して形成されている。こうして、巻付け部４３は、ペットＤの胴体Ｂにフィットして装着される。
【００４２】
さらに、カバー部４には、帯状部４２と巻付け部４３のそれぞれに、２組の面ファスナー５、６が取り付けられている。２組の面ファスナー５、６のうち１組の面ファスナー５は、第１面ファスナー５Ａと、この第１面ファスナー５Ａに着脱可能な第２面ファスナー５Ｂと、を備えている。第１面ファスナー５Ａは、帯状部４２の巻付け部４３から離れた端部においてカバー部４の他方側の面である拡散シート１４側の面に固着され、第２面ファスナー５Ｂは、巻付け部４３の長尺方向Ｒの一端部においてカバー部４の一方側の面であるパイル生地１３Ｂ側の面に固着されている。２組の面ファスナー５、６のうち１組の面ファスナー６は、第１面ファスナー６Ａと、この第１面ファスナー６Ａに着脱可能な第２面ファスナー６Ｂと、を備えている。第１面ファスナー６Ａは、巻付け部４３の長尺方向Ｒの他端部においてカバー部４の一方側の面に固着され、第２面ファスナー６Ｂは、巻付け部４３の長尺方向Ｒの他端部においてカバー部４の他方側の面に固着されている。こうしてカバー部４は、帯状部４２の長尺方向の寸法、及び、巻付け部４３の巻付け寸法が調整可能となるように設けられている。
【００４３】
このようなペット用おむつ１１０は、予めカバー部４の長孔４５にペットＤの尻尾を挿通させておき、この状態で、パッド１０１が、その第４辺１０１ｄが頭部側に第１辺１０１ａが尻尾側に向く格好で、雌の個体の陰部に吸収体１１１のパイル生地１３Ｂ側の面を接触させる。そして、パッド１の拡散シート１４側の面にカバー部４の覆い部４１のパイル生地１３Ｂ側の面を当接させ、ペットＤの尻尾側の一方の片脚の付根部分の周囲に帯状部４２及び巻付け部４３を巻き付けて、第１面ファスナー５Ａと第２面ファスナー５Ｂとを接触させる。次に、ペットＤの尻尾側の他方の片脚の付根部分の周囲に巻付け部４３を巻き付けて、第１面ファスナー６Ａと第２面ファスナー６Ｂとを接触させる。こうして、ペット用おむつ１１０を雌の個体に装着する。
【００４４】
このようなペット用おむつ１０、１１０によれば、パッド１、１０１が、洗浄に耐え得る素材から構成されているとともに支持体に相当するバンド部２、カバー部４と別体に設けられている。従って、当該パッド１、１０１を洗浄することで繰り返し使用することができるから、経済的であり、かつ、ごみの廃棄量の低減を図ることができる。
【００４５】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００４６】
１、１０１      パッド
２              バンド部（支持体）
４              カバー部（支持体）
１０、１１０    ペット用おむつ
１１、１１１    吸収体
１２、１１２    滑止め部
１３            基布
１４            拡散シート
【図１】
0003196746.tif 000003
【図２】
0003196746.tif 000004
【図３】
0003196746.tif 000005
【図４】
0003196746.tif 000006
【図５】
0003196746.tif 000007
【図６】
0003196746.tif 000008
【図７】
0003196746.tif 000009